(57)【要約】 【課題】本発明は、花束を包装する際に使用する花用包装紙に関する発明である。【解決手段】本発明は、左右中央に同形同大の左右貫通孔を形成し、前記左右貫通孔の下端から下部中央付近に向かってゆるやかに湾曲した左右切り込みを備え、左端から上部へ向かって湾曲し更に右端まで続いた上折り線を設けた左右対称の略真円形をした包装紙からなることを特徴とする花用包装紙及び縦長の略楕円形状をした包装紙からなることを特徴とする花用包装紙と、左部に外側より左上切り込みを設けた左上連結部と内側より左下切り込みを設けた左下連結部を備えた略耳型の左貫通孔を形成し、右部に外側より右上切り込みを設けた右上連結部と内側より右下切り込みを設けた右下連結部を備えた略耳型の右貫通孔を左貫通孔と左右対称となるように形成し、下部に上下端が湾曲した略長方形状の左右貫通孔を形成した略楕円形状の包装紙からなることを特徴とする花用包装紙とした。【選択図】  図１
2007308182.tif 000002
【特許請求の範囲】
【請求項１】
左右中央に同形同大の左右貫通孔を形成し、前記左右貫通孔の下端から下部中央付近に向かってゆるやかに湾曲した左右切り込みを備え、左端から上部へ向かって湾曲し右端まで続いた上折り線を設けた左右対称の略真円形をした包装紙からなることを特徴とする花用包装紙。
【請求項２】
縦長の略楕円形状をした包装紙からなることを特徴とする請求項１に記載の花用包装紙。
【請求項３】
左部に外側より左上切り込みを設けた左上連結部と内側より左下切り込みを設けた左下連結部を備えた略耳型の左貫通孔を形成し、右部に外側より右上切り込みを設けた右上連結部と内側より右下切り込みを設けた右下連結部を備えた略耳型の右貫通孔を左貫通孔と左右対称となるように形成し、下部に上下端が湾曲した略長方形状の左右貫通孔を形成した略楕円形状の包装紙からなることを特徴とする花用包装紙。
【請求項４】
中央上部に略Ｕ字型の切り込みを設け、裏面にメッセージ欄を設け、請求項１乃至請求項３に記載の花用包装紙に取り付けることを特徴とする葉型のカード。
【請求項５】
中央にロゴを記載し、下部に文字欄を設け請求項１乃至請求項３に記載の花用包装紙の組み立てた形状を維持するために貼り付けることを特徴とする四角型のシール。
【請求項６】
真円型としたことを特徴とする請求項５に記載のシール。
【請求項７】
上端部を任意の形状に成型できることを特徴とする請求項１乃至請求項３に記載の花用包装紙。
【請求項８】
中央上部に孔を穿設したことを特徴とする請求項１乃至請求項３又は請求項７に記載の花用包装紙。
【請求項９】
楕円形状のシール部を背面に設け、上部に略Ｕ字型の取っ手部を備えた楕円形状の貼付部からなることを特徴とする手提げシール。
【発明の詳細な説明】
【技術分野】
【０００１】
本発明は、花束を包装する際に使用する花用包装紙に関する発明である。
【背景技術】
【０００２】
従来、花束を包装するには、束ねた花を透明なフィルムや紙、和紙などで包むように包装し、リボンなどで結んでいた。
【０００３】
しかしながら、従来の包装紙では花束の重みを支えることができないため、両手で持たなければ花が曲がってしまい、とても持ちにくいものであった。
【０００４】
また、片手で逆さに持つことによって花が曲がるのを防ぐ方法もあり、多くの人はこういった持ち方をしているが、気をつけなければ花を地面に擦ってしまったり、ぶつけてしまうこともあり、何より持っていて格好のよいものではなかった。
【特許文献１】実開昭６３−１２８９５９号公報
【発明の開示】
【発明が解決しようとする課題】
【０００５】
そこで、本発明は、容易に組み立てることができ、丈夫で持ちやすく、花を痛めることもなく、性別を問わず多くの人が違和感なく使用することができる花用包装紙を提供することを目的とするものである。
【課題を解決するための手段】
【０００６】
本発明は、上記の課題を解決するために、左右中央に同形同大の左右貫通孔２ｃ、２ｄを形成し、前記左右貫通孔２ｃ、２ｄの下端から下部中央付近に向かってゆるやかに湾曲した左右切り込み２ａ、２ｂを備え、左端から上部へ向かって湾曲し更に右端まで続いた上折り線２ｋを設けた左右対称の略真円形をした包装紙２からなることを特徴とする花用包装紙１の構成、  縦長の略楕円形状をした包装紙からなることを特徴とする花用包装紙と、  左部に外側より左上切り込み７ｇを設けた左上連結部７ｃと内側より左下切り込み７ｉを設けた左下連結部７ｅを備えた略耳型の左貫通孔７ａを形成し、右部に外側より右上切り込み７ｈを設けた右上連結部７ｄと内側より右下切り込み７ｊを設けた右下連結部７ｆを備えた略耳型の右貫通孔７ｂを左貫通孔７ａと左右対称となるように形成し、下部に上下端が湾曲した略長方形状の左右貫通孔７ｋ、７ｌを形成した略楕円形状の包装紙７からなることを特徴とする花用包装紙の構成、中央上部に略Ｕ字型の切り込み８ａを設け、裏面にメッセージ欄を設け、花用包装紙に取り付けることを特徴とする葉型のカードの構成、中央にロゴ９ａを記載し、下部に文字欄９ｂを設け花用包装紙の組み立てた形状を維持するために貼り付けることを特徴とする四角型のシールの構成及び真円型としたことを特徴とするシールの構成とした。
【発明の効果】
【０００７】
本発明の花用包装紙は、容易に組み立てることができ、丈夫で持ちやすいため手荷物が多い場合であっても花を痛めずに持つことができる。
【０００８】
また、特に男性のように花を持つことに抵抗があった人であっても違和感なく花束を持つことができる。
【発明を実施するための最良の形態】
【０００９】
荷物の多い場合であっても花を痛めずに持つことができ、また性別を問わず花を持つことに違和感を感じさせない花用包装紙という目的を、丈夫で組立ての容易な花用包装紙とすることで実現した。
【実施例１】
【００１０】
図１は本発明である花用包装紙を使用した状態を示した斜視図である。図１に示すように、本発明である花用包装紙１は、花束３が折れたり、曲がったりすることなく綺麗な状態で包装することができ、またその状態を長く保つことができる。
【００１１】
花束３を包んだ花用包装紙１には、メッセージなどを書き込んだカード８を取り付けることができ、従来よりも簡単にメッセージを添えることが可能となった。尚、符号４はＬ字型をした土台を示しており、本発明で包装した花束を立てることができる。次に図２以降を使用して、本発明である花用包装紙を詳細に説明することとする。
【００１２】
図２は本発明である花用包装紙の正面図である。図２に示すように、本発明である花用包装紙１は、左右中央に同形同大の左右貫通孔２ｃ、２ｄを形成し、前記左右貫通孔２ｃ、２ｄの下端から下部中央付近に向かってゆるやかに湾曲した左右切り込み２ａ、２ｂを備え、左端から上部へ向かって湾曲し更に右端まで続いた上折り線２ｋを設けた左右対称の略円形をした包装紙２からなる。
【００１３】
前記左貫通孔２ｃには左折り線２ｇを介して半楕円形の左突出部２ｅを備え、同じく右貫通孔２ｄにも右折り線２ｈを介して半楕円形の右突出部２ｆを備えている。前記左右突出部２ｅ、２ｆは左右折り線２ｇ、２ｈにより容易に折り曲げることができる。
【００１４】
また、包装紙２の上部も湾曲した前記上折り線２ｋを使用して容易に折返しを作ることができ、包装紙２の表裏面が異なった色の場合や異なった色の包装紙２を２枚重ねて使用した場合には視覚的効果を発揮することができる。
【００１５】
尚、前記左右切り込み２ａ、２ｂの下端は余計に切り込みが入ってしまうことを防止するために、左右切り込み端部２ｉ、２ｊとして小さな円形の孔とした。これにより、左右切り込み２ａ、２ｂに余計な力が加わった場合でも左右切り込み端部２ｉ、２ｊで力が吸収され左右切り込み２ａ、２ｂを広げる心配がない。
【００１６】
包装紙２を丸めた際に、前記左右切り込み２ａ、２ｂから内側の部分は互いに重ね合わせられてシールなどで留められ、一方左右切り込み２ａ、２ｂより外側の部分である左右取っ手部２ｌ、２ｍは、左右突出部２ｅ、２ｆを重ね合わせることにより一つの取っ手となる。本発明では左右突出部２ｅ、２ｆを設けたが、特に設けることに限定したわけではなく、左右突出部２ｅ、２ｆを設けなくてもよい。
【実施例２】
【００１７】
図３は本発明である花用包装紙の第２実施例の正面図である。本発明である花用包装紙１ａは、前記実施例１で示した花用包装紙１とほぼ同じ形状をしている。
【００１８】
即ち、左右中央に同形同大の左右貫通孔５ｃ、５ｄを形成し、前記左右貫通孔５ｃ、５ｄの下端から下部中央付近に向かってゆるやかに湾曲した左右切り込み５ａ、５ｂを備え、左端から上部へ向かって湾曲し更に右端まで続いた上折り線５ｋを設けた左右対称の略円形をした包装紙５からなる。
【００１９】
前記左貫通孔５ｃには左折り線５ｇを介して半楕円形の左突出部５ｅを備え、同じく右貫通孔５ｄにも右折り線５ｈを介して半楕円形の右突出部５ｆを備えている。前記左右突出部５ｅ、５ｆは左右折り線５ｇ、５ｈにより容易に折り曲げることができる。
【００２０】
また、包装紙５の上部も湾曲した前記上折り線５ｋを使用して容易に折返しを作ることができ、包装紙５の表裏面が異なった色や異なった色の包装紙５を２枚重ねて使用した場合の場合には視覚的効果を発揮することができる。
【００２１】
尚、前記左右切り込み５ａ、５ｂの下端は余計に切り込みが入ってしまうことを防止するために、左右切り込み端部５ｉ、５ｊとして小さな円形の孔とした。これにより、左右切り込み５ａ、５ｂに余計な力が加わった場合でも左右切り込み端部５ｉ、５ｊで力が吸収され左右切り込み５ａ、５ｂを広げる心配がない。
【００２２】
包装紙５を丸めた際に、前記左右切り込み５ａ、５ｂから内側の部分は互いに重ね合わせられてシールなどで留められ、一方左右切り込み５ａ、５ｂより外側の部分である左右取っ手部５ｌ、５ｍは、左右突出部５ｅ、５ｆを重ね合わせることにより一つの取っ手となる。本発明では左右突出部５ｅ、５ｆを設けたが、特に設けることに限定したわけではなく、左右突出部５ｅ、５ｆを設けなくてもよい。
【実施例３】
【００２３】
図４は本発明である花用包装紙の第３実施例の正面図である。本発明である花用包装紙１ｂは、前記実施例１及び実施例２で示した花用包装紙１、１ａとほぼ同じ形状をしている。
【００２４】
即ち、左右中央に同形同大の左右貫通孔６ｃ、６ｄを形成し、前記左右貫通孔６ｃ、６ｄの下端から下部中央付近に向かってゆるやかに湾曲した左右切り込み６ａ、６ｂを備え、左端から上部へ向かって湾曲し更に右端まで続いた上折り線６ｋを設けた左右対称の略円形をした包装紙６からなる。
【００２５】
前記左貫通孔６ｃには左折り線６ｇを介して半楕円形の左突出部６ｅを備え、同じく右貫通孔６ｄにも右折り線６ｈを介して半楕円形の右突出部６ｆを備えている。前記左右突出部６ｅ、６ｆは左右折り線６ｇ、６ｈにより容易に折り曲げることができる。
【００２６】
また、包装紙６の上部も湾曲した前記上折り線６ｋを使用して容易に折返しを作ることができ、包装紙６の表裏面が異なった色や異なった色の包装紙６を２枚重ねて使用した場合の場合には視覚的効果を発揮することができる。
【００２７】
尚、前記左右切り込み６ａ、６ｂの下端は余計に切り込みが入ってしまうことを防止するために、左右切り込み端部６ｉ、６ｊとして小さな円形の孔とした。これにより、左右切り込み６ａ、６ｂに余計な力が加わった場合でも左右切り込み端部６ｉ、６ｊで力が吸収され左右切り込み６ａ、６ｂを広げる心配がない。
【００２８】
包装紙６を丸めた際に、前記左右切り込み６ａ、６ｂから内側の部分は互いに重ね合わせられてシールなどで留められ、一方左右切り込み６ａ、６ｂより外側の部分である左右取っ手部６ｌ、６ｍは、左右突出部６ｅ、６ｆを重ね合わせることにより一つの取っ手となる。本発明では左右突出部６ｅ、６ｆを設けたが、特に設けることに限定したわけではなく、左右突出部６ｅ、６ｆを設けなくてもよい。
【実施例４】
【００２９】
図５は本発明である花用包装紙の第４実施例の正面図、図６は本発明である花用包装紙を組み立てた状態を示した斜視図である。
【００３０】
図５に示すように、本発明である花用包装紙１ｃは、左部に外側より左上切り込み７ｇを設けた左上連結部７ｃと内側より左下切り込み７ｉを設けた左下連結部７ｅを備えた略耳型の左貫通孔７ａを形成し、右部に外側より右上切り込み７ｈを設けた右上連結部７ｄと内側より右下切り込み７ｊを設けた右下連結部７ｆを備えた略耳型の右貫通孔７ｂを左貫通孔７ａと左右対称となるように形成し、下部に上下端が湾曲した略長方形状の左右貫通孔７ｋ、７ｌを形成した略楕円形状の包装紙７からなる。
【００３１】
前記左上連結部７ｃの下端と左下連結部７ｅの上端の間は開口しており左貫通孔７ａは外部と連通している。また、前記右上連結部７ｄの下端と右下連結部７ｆの上端の間は開口しており右貫通孔７ｂは外部と連通している。
【００３２】
包装紙７の前記左上切り込み７ｇと左下切り込み７ｉを係止させて左貫通孔７ａを輪状にし、同様に右上切り込み７ｈと右下切り込み７ｊを係止させて右貫通孔７ｂを輪状にする。図６に示すように、前記輪状になった左右貫通孔７ａ、７ｂを近づけて包装紙７を丸めることで、輪状の左右貫通孔７ａ、７ｂがひとつの取っ手となり花を持ち運びしやすい花用包装紙１ｃとなる。
【００３３】
尚、特に花用包装紙１は、チューリップ、スイートピー、フリージア、ガーベラ、スイセン、レザーファン、モンステラ等の比較的丈の短い花に最適であり、花用包装紙１ａは、バラ、ユリ、カラー、カーネーション、ヒマワリ、ドラセナ、リリオペなど、比較的丈の長めな花に最適である。
【００３４】
また、花用包装紙１ｂは、モモ、ウメ、サクラ、ネコヤナギ、ユキヤナギ、ベアグラスなど、丈が長い花に最適であるが、限定したわけではなく、用途にあった花用包装紙１、１ａ、１ｂ、１ｃを使い分ければよい。
【００３５】
図７は本発明である花用包装紙で使用するカードを示した図である。図７に示すように、本発明である花用包装紙１、１ａ、１ｂ、１ｃで使用するカード８は、包装する花と違和感を起こさせないため葉っぱの形状をしており、中央上部に略Ｕ字型の切り込み８ａを設けている。
【００３６】
前記切り込み８ａにより略Ｕ字型形に形成された片の部分を包装紙２、５、６、７の任意の場所に差し込むことでしっかりと固定することができる。尚、カード８の裏面にはメッセージ欄８ｂが用意されており、任意のメッセージを記入することができる。
【００３７】
図８は本発明である花用包装紙で使用するシールを示した図である。図８に示すように、本発明である花用包装紙１、１ａ、１ｂで使用するシール９、９ｃは左右突出部２ｅ、２ｆ、５ｅ、５ｆ、６ｅ、６ｆを重ね合わせた場所で使用することで包装紙２、５、６の形状を固定することができる。
【００３８】
図８では、中央にロゴ９ａを記載し、下部に文字欄９ｂを設けてお店の名前等を入れることができるようにしたが、特に限定はしていない。また、四角型のシール９と丸形のシール９ｃとしたが、他の形でもよいものとする。
【実施例５】
【００３９】
図９は本発明である花用包装紙の第５実施例の正面図、図１０は花用包装紙の第５実施例を使用した状態を示した斜視図である。
【００４０】
図９及び図１０に示すように、本発明である花用包装紙１ｄは、前記実施例１〜４で示した花用包装紙１、１ａ、１ｂ、１ｃとほぼ同じ形状をしている。即ち花用包装紙１ｄは、左右中央に同形同大の左右貫通孔１０ｃ、１０ｄを形成し、前記左右貫通孔１０ｃ、１０ｄの下端から下部中央付近に向かってゆるやかに湾曲した左右切り込み１０ａ、１０ｂを備え、左端から上部へ向かって湾曲し更に右端まで続いた上折り線１０ｋを設けた左右対称の略円形をした包装紙１０からなる。
【００４１】
前記左貫通孔１０ｃには左折り線１０ｇを介して半楕円形の左突出部１０ｅを備え、同じく右貫通孔１０ｄにも右折り線１０ｈを介して半楕円形の右突出部１０ｆを備えている。前記左右突出部１０ｅ、１０ｆは左右折り線１０ｇ、１０ｈにより容易に折り曲げることができる。
【００４２】
また、包装紙１０の上部も湾曲した前記上折り線１０ｋを使用して容易に折返しを作ることができ、包装紙１０の表裏面が異なった色の場合や異なった色の包装紙１０を２枚重ねて使用した場合には視覚的効果を発揮することができる。
【００４３】
尚、前記左右切り込み１０ａ、１０ｂの下端は余計に切り込みが入ってしまうことを防止するために、左右切り込み端部１０ｉ、１０ｊとして小さな円形の孔とした。これにより、左右切り込み１０ａ、１０ｂに余計な力が加わった場合でも左右切り込み端部１０ｉ、１０ｊで力が吸収され左右切り込み１０ａ、１０ｂを広げる心配がない。
【００４４】
包装紙１０を丸めた際に、前記左右切り込み１０ａ、１０ｂから内側の部分は互いに重ね合わせられてシールなどで留められ、一方左右切り込み１０ａ、１０ｂより外側の部分である左右取っ手部１０ｌ、１０ｍは、左右突出部１０ｅ、１０ｆを重ね合わせることにより一つの取っ手となる。本発明では左右突出部１０ｅ、１０ｆを設けたが、特に設けることに限定したわけではなく、左右突出部１０ｅ、１０ｆを設けなくてもよい。
【００４５】
更に、包装紙１０の上端部１０ｎは緩やかに湾曲した凸部と鋭角な凹部が交互に繰り返された形状をしており、上端部１０ｎを上折り線１０ｋより折り返した場合により綺麗に見せることができる。以上のように包装紙１０と前記包装紙２、５、６、７の違いは、上端部１０ｎの形状である。尚、上端部１０ｎの形状は、特に限定したものではなく、凸部凹部共に緩やかな湾曲状として、全体的に波形としても良く、また、包装紙自体を切ることも可能であるため任意の他の形状でも良いものとする。
【実施例６】
【００４６】
図１１は本発明である花用包装紙の第６実施例の正面図、図１２は花用包装紙の第６実施例を収納した状態を示した斜視図、図１３は花用包装紙の第６実施例を使用した状態を示した斜視図である。
【００４７】
図１１に示すように、本発明である花用包装紙１ｅは、前記実施例１〜４で示した花用包装紙１、１ａ、１ｂ、１ｃとほぼ同じ形状をしている。即ち花用包装紙１ｅは、左右中央に同形同大の左右貫通孔１１ｃ、１１ｄを形成し、前記左右貫通孔１１ｃ、１１ｄの下端から下部中央付近に向かってゆるやかに湾曲した左右切り込み１１ａ、１１ｂを備え、左端から上部へ向かって湾曲し更に右端まで続いた上折り線１１ｋを設けた左右対称の略円形をした包装紙１１からなる。
【００４８】
前記左貫通孔１１ｃには左折り線１１ｇを介して半楕円形の左突出部１１ｅを備え、同じく右貫通孔１１ｄにも右折り線１１ｈを介して半楕円形の右突出部１１ｆを備えている。前記左右突出部１１ｅ、１１ｆは左右折り線１１ｇ、１１ｈにより容易に折り曲げることができる。
【００４９】
また、包装紙１１の上部も湾曲した前記上折り線１１ｋを使用して容易に折返しを作ることができ、包装紙１１の表裏面が異なった色の場合や異なった色の包装紙１１を２枚重ねて使用した場合には視覚的効果を発揮することができる。
【００５０】
尚、前記左右切り込み１１ａ、１１ｂの下端は余計に切り込みが入ってしまうことを防止するために、左右切り込み端部１１ｉ、１１ｊとして小さな円形の孔とした。これにより、左右切り込み１１ａ、１１ｂに余計な力が加わった場合でも左右切り込み端部１１ｉ、１１ｊで力が吸収され左右切り込み１１ａ、１１ｂを広げる心配がない。
【００５１】
包装紙１１を丸めた際に、前記左右切り込み１１ａ、１１ｂから内側の部分は互いに重ね合わせられてシールなどで留められ、一方左右切り込み１１ａ、１１ｂより外側の部分である左右取っ手部１１ｌ、１１ｍは、左右突出部１１ｅ、１１ｆを重ね合わせることにより一つの取っ手となる。本発明では左右突出部１１ｅ、１１ｆを設けたが、特に設けることに限定したわけではなく、左右突出部１１ｅ、１１ｆを設けなくてもよい。
【００５２】
更に、図１１及び図１２に示すように、包装紙１１の上折り線１１ｋの中央下には縦長の略楕円形状をした孔１１ｎを穿設しており、収納の際に壁などに取り付けたフック１３に複数枚重ねて引っ掛けることができる。この点が包装紙１１と前記包装紙１、５、６、７との異なっている点である。尚、符号１２はフック１３などを取り付けるための取付棒を示している。
【００５３】
このように孔１１ｎを利用して収納することで、従来のような引出の中や、棚の中に重ねて収納し、取り出す際に煩わし思いをしていた事が解消され、一枚一枚を簡単に取り出すことができ作業の効率も上げることができる。
【００５４】
また、図１３に示すように包装紙１１で包装された花束３を一時的にそのまま壁１４等に引っ掛けておくこともでき、更に花束３を壁掛用にアレンジして包装した場合や、包装紙１１の絵柄を壁掛用にすることで花束３を花瓶等に移すことなくそのまま壁に飾ることも可能である。
【００５５】
尚、図１１〜１３では、包装紙１１を包装紙１、５、６、７に孔１１ｎを穿設したものとしたが、前記包装紙１０に孔１１ｎを穿設してもよい。また、前記花用包装紙１〜１ｅは花束３を包装した際に上部側（花側）が大きく広がり、且つ左右取っ手部で持った際に花束３が下を向かずに地面と平行又はやや上方を向くように形状をしている。
【００５６】
図１４は、本発明である花用包装紙の手提げシールの正面図、図１５は花用包装紙の手提げシールを使用した状態を示した斜視図である。
【００５７】
図１４及び図１５に示すように、手提げシール１５は楕円形状のシール部１５ｂを背面に設け、上部に略Ｕ字型の取っ手部１５ｃを備えた楕円形状の貼付部１５ａからなる。貼付部１５ａのシール部１５ｂを使用して包装紙１６に貼付けることで、花束３を手提げのように片手で持つことができる。
【図面の簡単な説明】
【００５８】
【図１】本発明である花用包装紙を使用した状態を示した斜視図である。
【図２】本発明である花用包装紙の正面図である。
【図３】本発明である花用包装紙の第２実施例の正面図である。
【図４】本発明である花用包装紙の第３実施例の正面図である。
【図５】本発明である花用包装紙の第４実施例の正面図である。
【図６】本発明である花用包装紙を組み立てた状態を示した斜視図である。
【図７】本発明である花用包装紙で使用するカードを示した図である。
【図８】本発明である花用包装紙で使用するシールを示した図である。
【図９】本発明である花用包装紙の第５実施例の正面図である。
【図１０】本発明である花用包装紙の第５実施例を使用した状態を示した斜視図である。
【図１１】本発明である花用包装紙の第６実施例の正面図である。
【図１２】本発明である花用包装紙の第６実施例を収納した状態を示した斜視図である。
【図１３】本発明である花用包装紙の第６実施例を使用した状態を示した斜視図である。
【図１４】本発明である花用包装紙の手提げシールの正面図である。
【図１５】本発明である花用包装紙の手提げシールを使用した状態を示した斜視図である。
【符号の説明】
【００５９】
１      花用包装紙
１ａ    花用包装紙
１ｂ    花用包装紙
１ｃ    花用包装紙
１ｄ    花用包装紙
１ｅ    花用包装紙
２      包装紙
２ａ    左切り込み
２ｂ    右切り込み
２ｃ    左貫通孔
２ｄ    右貫通孔
２ｅ    左突出部
２ｆ    右突出部
２ｇ    左折り線
２ｈ    右折り線
２ｉ    左切り込み端部
２ｊ    右切り込み端部
２ｋ    上折り線
２ｌ    左取っ手部
２ｍ    右取っ手部
３      花束
４      土台
５      包装紙
５ａ    左切り込み
５ｂ    右切り込み
５ｃ    左貫通孔
５ｄ    右貫通孔
５ｅ    左突出部
５ｆ    右突出部
５ｇ    左折り線
５ｈ    右折り線
５ｉ    左切り込み端部
５ｊ    右折り込み端部
５ｋ    上折り線
５ｌ    左取っ手部
５ｍ    右取っ手部
６      包装紙
６ａ    左切り込み
６ｂ    右切り込み
６ｃ    左貫通孔
６ｄ    右貫通孔
６ｅ    左突出部
６ｆ    右突出部
６ｇ    左折り線
６ｈ    右折り線
６ｉ    左切り込み端部
６ｊ    右切り込み端部
６ｋ    上折り線
６ｌ    左取っ手部
６ｍ    右取っ手部
７      包装紙
７ａ    左貫通孔
７ｂ    右貫通孔
７ｃ    左上連結部
７ｄ    右上連結部
７ｅ    左下連結部
７ｆ    右下連結部
７ｇ    左上切り込み
７ｈ    右上切り込み
７ｉ    左下切り込み
７ｊ    右下切り込み
７ｋ    左貫通孔
７ｌ    右貫通孔
８      カード
８ａ    切り込み
８ｂ    メッセージ欄
９      シール
９ａ    ロゴ
９ｂ    文字欄
９ｃ    シール
１０      包装紙
１０ａ    左切り込み
１０ｂ    右切り込み
１０ｃ    左貫通孔
１０ｄ    右貫通孔
１０ｅ    左突出部
１０ｆ    右突出部
１０ｇ    左折り線
１０ｈ    右折り線
１０ｉ    左切り込み端部
１０ｊ    右切り込み端部
１０ｋ    上折り線
１０ｌ    左取っ手部
１０ｍ    右取っ手部
１０ｎ    上端部
１１      包装紙
１１ａ    左切り込み
１１ｂ    右切り込み
１１ｃ    左貫通孔
１１ｄ    右貫通孔
１１ｅ    左突出部
１１ｆ    右突出部
１１ｇ    左折り線
１１ｈ    右折り線
１１ｉ    左切り込み端部
１１ｊ    右切り込み端部
１１ｋ    上折り線
１１ｌ    左取っ手部
１１ｍ    右取っ手部
１１ｎ    孔
１２      取付棒
１３      フック
１４      壁
１５      手提げシール
１５ａ    貼付部
１５ｂ    シール部
１５ｃ    取っ手部
１６      包装紙
【図１】
2007308182.tif 000003
【図２】
2007308182.tif 000004
【図３】
2007308182.tif 000005
【図４】
2007308182.tif 000006
【図５】
2007308182.tif 000007
【図６】
2007308182.tif 000008
【図７】
2007308182.tif 000009
【図８】
2007308182.tif 000010
【図９】
2007308182.tif 000011
【図１０】
2007308182.tif 000012
【図１１】
2007308182.tif 000013
【図１２】
2007308182.tif 000014
【図１３】
2007308182.tif 000015
【図１４】
2007308182.tif 000016
【図１５】
2007308182.tif 000017